(57)【要約】【課題】本発明の課題は、快適な暖房を行いながらも室外熱交換器に対する着霜を防止することができる空気調和機を提供することにある。【解決手段】本発明の空気調和機Ａ１は、室外熱交換器６が暖房運転時に膨張弁５を経由した冷媒を流通させる第１冷媒配管（通常配管２２）を備えると共に、圧縮機１から流出する冷媒を流通させる第２冷媒配管（着霜防止用配管２３）を更に備え、暖房運転時に圧縮機１から流出する冷媒を、室外熱交換器６の第２冷媒配管（着霜防止用配管２３）、室内熱交換器３、膨張弁５及び室外熱交換器６の第１冷媒配管（通常配管２２）の順番に流通させて圧縮機１に戻すように構成されている。【選択図】図１
2010266110.tif 000002
【特許請求の範囲】
【請求項１】
圧縮機、室内熱交換器、膨張弁及び室外熱交換器を冷媒循環回路に備えるヒートポンプ式の空気調和機において、
前記室外熱交換器は、暖房運転時に前記膨張弁を経由した冷媒を流通させる第１冷媒配管を備えると共に、前記圧縮機から流出する冷媒を流通させる第２冷媒配管を更に備え、
暖房運転時に前記圧縮機から流出する冷媒を、前記室外熱交換器の前記第２冷媒配管、前記室内熱交換器、前記膨張弁及び前記室外熱交換器の前記第１冷媒配管の順番に流通させて前記圧縮機に戻すように構成されていることを特徴とする空気調和機。
【請求項２】
前記室外熱交換器に向けて送風する室外送風装置を更に備え、
前記第２冷媒配管は、前記室外熱交換器における前記室外送風装置による送風の上流側に配置されていることを特徴とする請求項1に記載の空気調和機。
【請求項３】
前記室外熱交換器は、第２冷媒配管と、冷房運転時に前記第１冷媒配管の冷媒出口となる部分とが隣接するように配置されていることを特徴とする請求項１又は請求項２に記載の空気調和機。
【請求項４】
前記室外熱交換器は、冷房運転時に前記第１冷媒配管の冷媒出口となる部分が前記第２冷媒配管の前記室外送風装置による送風の下流側に配置されていることを特徴とする請求項２又は請求項３に記載の空気調和機。
【請求項５】
前記室外熱交換器は、冷房運転時に前記第１冷媒配管の冷媒入口となる部分が前記第２冷媒配管の前記室外送風装置による送風の下流側に配置されていることを特徴とする請求項２から請求項４のいずれか１項に記載の空気調和機。
【発明の詳細な説明】
【技術分野】
【０００１】
本発明は、ヒートポンプ式の空気調和機に関する。
【背景技術】
【０００２】
一般家庭で多く使用されている空気調和機は、室内機と室外機が別体で構成されている。室内機内には室内熱交換器と室内送風装置とが設置されており、室外機内には室外熱交換器と室外送風装置と圧縮機と膨張弁とが設置されている。これらの室内機と室外機の間に冷媒配管を用いて冷媒流路を接続することで、室内機と室外機の間を冷媒が行き来して冷凍サイクルが成り立っている。
【０００３】
この構成の空気調和機においては、四方弁等により冷媒の流れ方向を変えることにより冷房運転、暖房運転及び除湿運転を行っている。
ここで更に具体的に従来の空気調和機について説明する。参照する図８は、従来の空気調和機の構成説明図である。
【０００４】
図８に示すように、従来の空気調和機が暖房運転を行う場合には、圧縮機１０１で圧縮されて高温高圧となった冷媒（ホットガス）は、図中、実線の矢印で示すように、四方弁１０２を介して室内熱交換器１０３へと流れる。室内熱交換器１０３では、冷媒が室内送風装置１０４から送られる空気１０８ａと熱交換して凝縮し、空気１０８ａは暖められて室内を暖房する。その後冷媒は膨張弁１０５で減圧されて低温低圧の冷媒となって室外熱交換器１０６に流入する。そして、室外熱交換器１０６では、冷媒が室外送風装置１０７によって送り込まれる空気１０８ｂと熱交換して蒸発する。次いで、ガス化した冷媒は四方弁１０２を介して圧縮機１０１に戻って再び高温高圧となるように圧縮される。空気調和機は、このサイクルを繰り返すことで暖房運転を行う。
【０００５】
このとき室外熱交換器１０６に流入する空気１０８ｂの温度が低い場合には、室外熱交換器１０６を構成する放熱フィンに霜が付着する。そして、霜が成長するにしたがって空気調和機は暖房能力が低下する。そのため、空気調和機は、ある程度霜が成長した段階で除霜運転（デフロスト運転）を行い付着した霜を融かす運転を行っている。
【０００６】
一般的な除霜運転の方式としては、四方弁１０２を切り替えて冷房運転時と同じ方向、つまり、図中、破線の矢印の方向に冷媒を流すサイクルにすることで圧縮機１０１からの温度の高い冷媒を室外熱交換器１０６に流し、室外熱交換器１０６を温めて霜を融かす方式が挙げられる。このとき暖房運転が停止状態となるので、室内機（図示省略）からの温風が出なくなり快適性が損なわれる。
【０００７】
この問題を解決するために、室外熱交換器を２つに分割したそれぞれに圧縮機からのホットガスを送り込む弁付きバイパス配管を設けた空気調和機が提案されている（例えば、特許文献１参照）。この空気調和機は、暖房運転中に室外熱交換器に付着した霜を融かす際に、一方の室外熱交換器は蒸発器としてそのまま機能させ、他方の室外熱交換器には圧縮機からのホットガスをバイパス配管経由で流すようになっている。そして、この空気調和機は、各室外熱交換器のバイパス配管の弁を交互に開閉することで、除霜を行いながら暖房運転を行って温風が途切れることがないようにしている。
【０００８】
また、室外熱交換器を２つに分割して、暖房運転時の冷媒の流れ方向に対してそれぞれの室外熱交換器の上流側に膨張弁を配置した空気調和機が提案されている（例えば、特許文献２参照）。この空気調和機は、室外熱交換器に着霜したことを検知した場合に一方の膨張弁の絞りを緩めて除霜し、他方はそのまま蒸発器として機能させることによって、除霜を行いながら暖房運転を行っている。
【先行技術文献】
【特許文献】
【０００９】
【特許文献１】特開２００８−６４３８１号公報
【特許文献２】特開平１０−２３２０７３号公報
【発明の概要】
【発明が解決しようとする課題】
【００１０】
しかしながら、従来の空気調和機（例えば、特許文献１及び特許文献２参照）は、除霜を行いながらの暖房運転時に、室外熱交換器の蒸発器としての機能が略半減する構成となっている。そのため、従来の空気調和機は、冷媒の蒸発圧力の低下が著しくなって蒸発器部分の着霜を助長すると共に、暖房能力が大きく低下する。また、蒸発圧力の低下で着霜量が増加するために除霜時間が長くなる。その結果、交互に除霜運転を繰り返す頻度が多くなって暖房能力が低い状態での運転時間が長くなる。
つまり、従来の空気調和機においては、暖房運転時に室外熱交換器の除霜を行う必要があるために暖房の快適性が損なわれていた。
【００１１】
そこで、本発明の課題は、快適な暖房を行いながらも室外熱交換器に対する着霜を防止することができる空気調和機を提供することにある。
【課題を解決するための手段】
【００１２】
前記課題を解決する本発明は、圧縮機、室内熱交換器、膨張弁及び室外熱交換器を冷媒循環回路に備えるヒートポンプ式の空気調和機において、前記室外熱交換器は、暖房運転時に前記膨張弁を経由した冷媒を流通させる第１冷媒配管を備えると共に、前記圧縮機から流出する冷媒を流通させる第２冷媒配管を更に備え、暖房運転時に前記圧縮機から流出する冷媒を、前記室外熱交換器の前記第２冷媒配管、前記室内熱交換器、前記膨張弁及び前記室外熱交換器の前記第１冷媒配管の順番に流通させて前記圧縮機に戻すように構成されていることを特徴とする。
【発明の効果】
【００１３】
本発明によれば、快適な暖房を行いながらも室外熱交換器に対する着霜を防止することができる空気調和機を提供することができる。
【図面の簡単な説明】
【００１４】
【図１】本発明の第１実施形態に係る空気調和機の構成説明図である。
【図２】本発明の第２実施形態に係る空気調和機の構成説明図である。
【図３】本発明の第３実施形態に係る空気調和機の構成説明図である。
【図４】本発明の第４実施形態に係る空気調和機の構成説明図である。
【図５】本発明の第５実施形態に係る空気調和機の構成説明図である。
【図６】本発明の第６実施形態に係る空気調和機の構成説明図である。
【図７】本発明の第７実施形態に係る空気調和機の構成説明図である。
【図８】従来の空気調和機の構成説明図である。
【発明を実施するための形態】
【００１５】
次に、本発明の実施形態について適宜図面を参照しながら詳細に説明する。
本実施形態に係る空気調和機は、暖房運転を行う際に、圧縮機から流出した高温高圧の冷媒（以下、ホットガスということがある）を、一旦室外熱交換器を構成する一部の冷媒配管で熱交換させた後に、室内熱交換器に導く配管を備えたことを主な特徴点としている。
【００１６】
（第１実施形態）
図１に示すように、空気調和機Ａ１は、圧縮機１、室内熱交換器３、膨張弁５及び室外熱交換器６が所定の配管で連結された冷媒循環回路を有するヒートポンプ式のものである。また、空気調和機Ａ１は、室内熱交換器３に送風する室内送風装置４、室外熱交換器６に送風する室外送風装置７、室内熱交換器３と室外熱交換器６の間の冷媒流通量を調整する弁２５を更に備えている。
【００１７】
圧縮機１は、冷媒循環回路から戻ってきた冷媒を圧縮すると共に、圧縮した高温高圧の冷媒を再び冷媒循環回路に送り出している。
【００１８】
このような圧縮機１と冷媒循環回路との間には四方弁２が介在するように配置されている。
この四方弁２は、冷媒循環回路で冷媒が流れる方向を順逆両方向のいずれかに切り替える弁である。ちなみに、図１中、実線の矢印方向Ｄ１に冷媒を循環させると、暖房運転を行うサイクルとなり、破線の矢印方向Ｄ２に冷媒を循環させると、冷房運転を行うサイクルとなる。
【００１９】
室内熱交換器３は、屋内側に配置されるものであって、空気調和機Ａ１の暖房運転時には凝縮器として機能し、空気調和機Ａ１の冷房運転時には蒸発器として機能する。ちなみに、室内熱交換器３は、図示しないが、冷媒が流通する冷媒配管とこの冷媒配管に接続される放熱フィンとで主に構成されている。
【００２０】
膨張弁５は、室内熱交換器３と室外熱交換器６との間を接続する配管２０ａの途中に配置されている。この膨張弁５は、図示しない制御部の指令に応じて開度（絞り開度）が調節されるようになっている。
【００２１】
次に、室外熱交換器６について説明する。
室外熱交換器６は、空気調和機Ａ１の暖房運転時には蒸発器として機能し、空気調和機Ａ１の冷房運転時には凝縮器として機能する。この室外熱交換器６は、冷媒が流通する冷媒配管２１とこの冷媒配管２１に接続される図示しない放熱フィンとで主に構成されている。なお、図中、破線で示される冷媒配管２１部部は、配管のターンの様子を示している。
【００２２】
図１に示すように、室外熱交換器６は複数の冷媒配管２１を上下に並ぶように有しており、これらの冷媒配管２１は通常配管２２と、着霜防止用配管２３とで構成されている。ちなみに、ここでの上下方向は、空気調和機Ａ１を水平面に配置した際の鉛直方向を意味しており、図１中の上下方向に一致している。
なお、通常配管２２は、特許請求の範囲にいう「第１冷媒配管」に相当し、着霜防止用配管２３は、特許請求の範囲にいう「第２冷媒配管」に相当する。
【００２３】
通常配管２２は、室外熱交換器６の中央部で上下に亘って配置されており、本実施形態では、上下一対の通常配管２２，２２で構成されている。この通常配管２２は、冷媒を受け入れることによって、室外熱交換器６の本来の機能を発揮させるものであって、前記したように、例えば暖房運転時には蒸発器として室外熱交換器６を機能させる。
【００２４】
つまり、この通常配管２２，２２の冷媒の入口１０ａ，１０ｂには、膨張弁５が設けられた配管２０ａを介して減圧された冷媒が供給される。そして、通常配管２２，２２の冷媒の出口１１ａ，１１ｂには、圧縮機１（四方弁２）に冷媒を戻す配管２０ｂが接続されている。
【００２５】
着霜防止用配管２３は、通常配管２２，２２同士との間と、室外熱交換器６の上下両端にそれぞれ配置されている。着霜防止用配管２３は、冷媒配管２１の一部分を占めており、具体的には、空気流方向に対し複数列で構成される室外熱交換器６において、空気流方向に対して風上側に配置した冷媒配管２１の合計配管長さの３分の１以下程度の比で設けることが望ましい。
【００２６】
本実施形態に係る空気調和機Ａ１は、着霜防止用配管２３と接続される分配配管８と、合流配管９とを更に備えている。
【００２７】
分配配管８は、暖房運転時に圧縮機１からのホットガスを、配管２０ｃを介して受け入れると共に、着霜防止用配管２３，２３，２３の入口８ａ，８ｂ，８ｃに冷媒を供給するものである。
【００２８】
合流配管９は、着霜防止用配管２３，２３，２３の出口９ａ，９ｂ，９ｃに接続されて、着霜防止用配管２３，２３，２３からのそれぞれの冷媒を合流させるものである。そして、合流配管９は、配管２０ｄを介して冷媒を室内熱交換器３に供給する。
【００２９】
次に、本実施形態に係る空気調和機Ａ１の暖房運転時における動作について説明する。
図１に示すように、この空気調和機Ａ１においては、圧縮機１から流出した高温高圧の冷媒は、四方弁２、並びに配管２０ｃ及び分配配管８を介して室外熱交換器６の着霜防止用配管２３，２３，２３に供給される。そして着霜防止用配管２３，２３，２３から流出した冷媒は、合流配管９及び配管２０ｄを介して室内熱交換器３へ流入する。
【００３０】
室内熱交換器３では、冷媒が室内送風装置４から送られる空気と熱交換して凝縮し、空気は暖められて室内を暖房する。その後冷媒は膨張弁５で減圧されて低温低圧の冷媒となって室外熱交換器６の通常配管２２に流入する。そして、室外熱交換器６では、冷媒が室外送風装置７によって送り込まれる空気と熱交換して蒸発する。次いで、ガス化した冷媒は四方弁２を介して圧縮機１に戻って再び高温高圧となるように圧縮される。空気調和機Ａ１は、このサイクルを繰り返すことで暖房運転を行う。
【００３１】
次に、この空気調和機Ａ１の作用効果について説明する。
この空気調和機Ａ１は、室外送風装置７によって室外熱交換器６に流入する空気の温度が低くても、前記したように、高温高圧の冷媒（ホットガス）を一旦室外熱交換器６の着霜防止用配管２３に流入させる。
その結果、この空気調和機Ａ１では、ホットガスが流れる着霜防止用配管２３の近傍に形成された放熱フィン（図示省略）が熱伝導により高い温度となる。
したがって、この空気調和機Ａ１によれば、室外熱交換器６に対する着霜を防止することができる。つまり、従来の空気調和機（例えば、特許文献１及び特許文献２参照）で暖房運転時に行っていた除霜運転（デフロスト運転）を行う必要がなくなって、連続して暖房運転をすることができる。よって、この空気調和機Ａ１によれば、快適性を向上させることができる。
【００３２】
また、この空気調和機Ａ１は、通常配管２２に膨張弁５で減圧された冷媒が流通して蒸発する際に、放熱フィン（図示省略）を介して着霜防止用配管２３を流れる冷媒による熱が通常配管２２に伝わるので、通常配管２２内での冷媒の蒸発が促進する。その結果、室外熱交換器６における熱の汲み上げが良好となって空気調和機Ａ１の暖房性能が向上する。
【００３３】
また、この空気調和機Ａ１は、圧縮機１から流出する高温高圧の冷媒（ホットガス）を、室内熱交換器３に流入させる前に、一旦室外熱交換器６に流入させるので、単相流冷媒であって熱伝達率の低いホットガスを、熱伝達率の高い二相流（気液二相流）冷媒へ遷移させることができる。その結果、この空気調和機Ａ１によれば、室内熱交換器３の通常配管２２に二相流冷媒を流入させることができるので、室内熱交換器３の凝縮性能を向上させることができる。ちなみに、室外送風装置7の風量の最適化を行うことでこのような効果を更に向上させることができる。
【００３４】
そして、空気調和機Ａ１は、以上のような暖房運転時の効果に加えて、冷房運転時においても次のような効果を奏することができる。
空気調和機Ａ１は、冷房運転時においては、暖房運転とは逆の冷媒の流れ方向（図１のＤ２方向）となる。つまり圧縮機１で高温高圧となった冷媒は、四方弁２を介して室外熱交換器６の通常配管２２に流入する。そして、室外送風装置７によって送り込まれる空気と熱交換して凝縮する。
【００３５】
その一方で、冷房運転時の着霜防止用配管２３には、蒸発器として機能している室内熱交換器３を経由して低温の冷媒が流入する。
その結果、着霜防止用配管２３の冷媒は、放熱フィン（図示省略）を介して通常配管２２内の高温高圧の冷媒から熱を奪うので、この空気調和機Ａ１によれば、室外熱交換器６の凝縮性能を向上させることができる。
【００３６】
また、この空気調和機Ａ１は、冷房運転時においては、室内熱交換器３の着霜防止用配管２３の冷媒出口で、液戻り気味にして室外熱交換器６の着霜防止用配管２３で過熱度を低減させるように制御することができる。その結果、空気調和機Ａ１によれば、室内熱交換器３内に複数の冷媒流を持つ場合であっても（例えば、通常配管２２，２２）、各流路の温度バランスを室内熱交換器３内で考慮せずに済むので、安価な分岐管でも安定した性能を得ることができる。
【００３７】
（第２実施形態）
次に、本発明の第２実施形態の空気調和機Ａ２について説明する。なお、この第２実施形態においては、前記第１実施形態と同じ構成要素については同じ符号を付してその詳細な説明は省略する。
図２に示すように、空気調和機Ａ２は、室外熱交換器６の冷媒配管２１を室外送風装置７に対向する方向（図２の紙面左右方向）に複数列配置したものであって、室外送風装置７で生じる風Ｗ（空気）の上流側の列に着霜防止用配管２３を配置している。
ちなみに、この空気調和機Ａ２は、分配配管１０を更に備えている。この分配配管１０は、膨張弁５で減圧された冷媒を、室外交換器６の通常配管２２を介してから受け入れるものである。この分配配管１０は、通常配管２２の入口１０ａ，１０ｂ，１０ｃ，１０ｄに冷媒を供給するようになっている。なお、この際、通常配管２２は蒸発器として機能することとなる。
【００３８】
次に、この空気調和機Ａ２の作用効果について説明する。
この空気調和機Ａ２は、第１実施形態に係る空気調和機Ａ１と同様の作用効果を奏すると共に、更に次のような作用効果を奏することができる。
【００３９】
この空気調和機Ａ２は、暖房運転時に圧縮機１からの高温高圧の冷媒を着霜防止用配管２３に流入させると、風Ｗ（空気）の上流側における室外熱交換器６の放熱フィンに高温高圧の冷媒の熱が伝わる。その結果、この空気調和機Ａ２によれば、上流側に配置した室外熱交換器６の放熱フィンの表面温度を上げることができると共に、その下流側に配置した通常配管２２によって蒸発器として機能する室外熱交換器６に対する風Ｗ（空気）の温度を上げることができる。その結果、室外熱交換器６に対する着霜を、より効果的に防止することができる。
【００４０】
（第３実施形態）
次に、本発明の第３実施形態の空気調和機Ａ３について説明する。なお、この第３実施形態においては、前記第２実施形態と同じ構成要素については同じ符号を付してその詳細な説明は省略する。
図３に示すように、空気調和機Ａ３は、配管２０ｃと配管２０ｄとの間にバイパス配管２０ｅを設けた以外は、第２実施形態に係る空気調和機Ａ２と同様に構成されている。
【００４１】
この空気調和機Ａ３は、第２実施形態に係る空気調和機Ａ２と同様の作用効果を奏すると共に、更に次のような作用効果を奏することができる。
この空気調和機Ａ３は、暖房運転時に圧縮機１からの高温高圧のガス冷媒を配管２０ｃ、室外熱交換器６及び配管２０ａを介して室内熱交換器３に流入させると共に、バイパス配管２０ｅを通すことによって室外熱交換器６を介さずに室内熱交換器３へ流入させることができる。
【００４２】
その結果、この空気調和機Ａ３によれば、高温高圧の冷媒を室外熱交換器６の着霜防止用配管２３に流入させて着霜の防止を図りながら、バイパス配管２０ｅ及び配管２０ｄを介して室内熱交換器３に対する高温高圧の冷媒の供給量を増加させることができる。つまり、この空気調和機Ａ３によれば、着霜の防止を図りながら暖房性能を向上させることができる。
ちなみに、図示しないが、バイパス配管２０ｅの途中に絞り機構を設けることで、着霜防止用配管２３への冷媒の流量を調節することができる。
【００４３】
（第４実施形態）
次に、本発明の第４実施形態の空気調和機Ａ４について説明する。なお、この第４実施形態においては、前記第３実施形態と同じ構成要素については同じ符号を付してその詳細な説明は省略する。
図４に示すように、空気調和機Ａ４は、配管２０ｄの途中であって、バイパス配管２０ｅの合流部よりも上流側（室外熱交換器６寄り）に逆止弁１４を設けた以外は、第３実施形態に係る空気調和機Ａ３と同様に構成されている。
【００４４】
この空気調和機Ａ４は、第３実施形態に係る空気調和機Ａ３と同様の作用効果を奏すると共に、更に次のような作用効果を奏することができる。
この空気調和機Ａ４によれば、もし室外熱交換器６に霜が付いた場合でも除霜運転時に室内熱交換器３からの冷却状態の冷媒が室外熱交換器６に逆流するのを防止できるので、除霜運転の効率を向上させることができる。
【００４５】
（第５実施形態）
次に、本発明の第５実施形態の空気調和機Ａ５について説明する。なお、この第５実施形態においては、前記第１実施形態と同じ構成要素については同じ符号を付してその詳細な説明は省略する。
図５に示すように、空気調和機Ａ５は、冷房運転時において、通常配管２２のうち、冷媒の出口配管２２ａの上下を着霜防止用配管２３で挟み込むように配置している。ちなみに、符号８ａ，８ｂ，８ｃ，８ｄは、暖房運転時における着霜防止用配管２３，２３，２３，２３の冷媒の入口であり、符号９ａ，９ｂ，９ｃ，９ｄは、暖房運転時における着霜防止用配管２３，２３，２３，２３の出口である。
【００４６】
この空気調和機Ａ５によれば、暖房運転時の着霜防止の効果に加えて、冷房運転時の性能を改善する。つまり、この空気調和機Ａ５によれば、室外熱交換器６の通常配管２２が凝縮器として機能する際に、着霜防止用配管２３内の低温の冷媒によって通常配管２２の出口配管２２ａ内の冷媒を空気温度よりも下げる、いわゆるサブクールを促進することができる。
【００４７】
（第６実施形態）
次に、本発明の第６実施形態の空気調和機Ａ６について説明する。なお、この第６実施形態においては、前記第１実施形態及び前記第２実施形態と同じ構成要素については同じ符号を付してその詳細な説明は省略する。
図６に示すように、空気調和機Ａ６は、室外熱交換器６の冷媒配管２１を室外送風装置７に対向する方向（図６の紙面左右方向）に複数列配置したものであって、室外送風装置７で生じる風Ｗ（空気）の上流側の列に着霜防止用配管２３を配置している。
更に詳しく説明すると、空気調和機Ａ６は、冷房運転時において、通常配管２２のうち、冷媒の出口配管２２ｂを室外送風装置７で生じる風Ｗ（空気）の下流側に配置すると共に、この出口配管２２ｂの風Ｗ（空気）の上流側に着霜防止用配管２３を隣接させて配置している。なお、出口配管２２ｂは特許請求の範囲にいう「冷房運転時に前記第１冷媒配管の冷媒出口となる部分」に相当する。
【００４８】
この空気調和機Ａ６によれば、暖房運転時の着霜防止の効果に加えて、冷房運転時の性能を改善する。つまり、冷房運転時において、室外熱交換器６の着霜防止用配管２３に当たる風Ｗ（空気）が着霜防止用配管２３と熱交換して冷却され、この冷却された風Ｗ（空気）によって通常配管２２の出口配管２２ｂが冷却され、冷媒の凝縮効果を促進することができる。その結果、空気調和機Ａ６の冷房性能が向上する。
【００４９】
（第７実施形態）
次に、本発明の第７実施形態の空気調和機Ａ７について説明する。なお、この第７実施形態においては、前記第６実施形態と同じ構成要素については同じ符号を付してその詳細な説明は省略する。
図７に示すように、空気調和機Ａ７は、室外熱交換器６の冷媒配管２１を室外送風装置７に対向する方向（図７の紙面左右方向）に複数列配置したものであって、室外送風装置７で生じる風Ｗ（空気）の上流側の列に着霜防止用配管２３を配置している。
更に詳しく説明すると、空気調和機Ａ７は、冷房運転時において、通常配管２２のうち、冷媒の入口配管２２ｃを室外送風装置７で生じる風Ｗ（空気）の下流側に配置すると共に、この入口配管２２ｃの風Ｗ（空気）の上流側に着霜防止用配管２３を隣接させて配置している。なお、入口配管２２ｃは特許請求の範囲にいう「冷房運転時に前記第１冷媒配管の冷媒入口となる部分」に相当する。
【００５０】
この空気調和機Ａ７によれば、暖房運転時の着霜防止の効果に加えて、冷房運転時の性能を改善する。つまり、室外熱交換器６の着霜防止用配管２３に当たる風Ｗ（空気）が着霜防止用配管２３と熱交換して冷却され、この冷却された風Ｗ（空気）によって通常配管２２の入口配管２２ｃが冷却され、冷媒の凝縮効果を促進することができる。その結果、空気調和機Ａ７の冷房性能が向上する。
【００５１】
以上、本発明の第１実施形態乃至第７実施形態について説明したが、本発明は前記実施形態に限定されず、種々の形態で実施することができる。
前記実施形態では、室外熱交換器６が室外送風装置７と対向する方向に、室外熱交換器６の冷媒配管２１が２列以下で構成されているが、本発明は３列以上であってもよい。
【符号の説明】
【００５２】
１      圧縮機
２      四方弁
３      室内熱交換器
４      室内送風装置
５      膨張弁
６      室外熱交換器
７      室外送風装置
２０ｅ  バイパス配管
２１    冷媒配管
２２    通常配管（第１冷媒配管）
２２ａ  出口配管
２２ｂ  出口配管
２２ｃ  入口配管
２３    着霜防止用配管（第２冷媒配管）
Ａ１    空気調和機
Ａ２    空気調和機
Ａ３    空気調和機
Ａ４    空気調和機
Ａ５    空気調和機
Ａ６    空気調和機
Ａ７    空気調和機
【図１】
2010266110.tif 000003
【図２】
2010266110.tif 000004
【図３】
2010266110.tif 000005
【図４】
2010266110.tif 000006
【図５】
2010266110.tif 000007
【図６】
2010266110.tif 000008
【図７】
2010266110.tif 000009
【図８】
2010266110.tif 000010